(57)【要約】【課題】人工透析をしている間、腕を覆って保温ができるとともに、出血等の異常を早期に発見して、素早く適正な処置を施すことができる医療用パジャマの提供。【解決手段】医療用パジャマ１０は、腕を通す袖部１３及び／又は足を通す裾部を有するパジャマ本体１１と、パジャマ本体１１に脱着可能で袖部１３から露出した腕及び／又は裾部から露出した足を覆うカバー１２とを備える。カバー１２は、腕又は足に沿う方向を縦方向とし、縦方向と略直交する向きを幅方向として、縦方向の一方の端部が、袖部１３及び／又は裾部に脱着可能であり、縦方向の他方の側に、手及び／又は足の指を係止する係止部が形成されている。【選択図】図１
0003224210.tif 000002
【実用新案登録請求の範囲】
【請求項１】
腕を通す袖部及び／又は足を通す裾部を有するパジャマ本体と、
前記パジャマ本体に脱着可能で前記袖部から露出した腕及び／又は前記裾部から露出した足を覆うカバーと、を備える医療用パジャマであって、
前記カバーは、腕又は足が延在する方向を縦方向とし、前記縦方向と略直交する方向を幅方向として、前記縦方向の一方の端部が前記袖部及び／又は前記裾部に脱着可能であり、
前記縦方向の他方の側に、手及び／又は足の指を係止する係止部が形成されていることを特徴とする医療用パジャマ。
【請求項２】
前記カバーは、前記袖部及び／又は前記裾部の外面に面ファスナーによって脱着自在であることを特徴とする請求項１に記載する医療用パジャマ。
【請求項３】
前記カバーは、
前記幅方向の両端部が互いにつながらない平布状に形成されていることを特徴とする請求項１に記載する医療用パジャマ。
【請求項４】
前記係止部は、前記カバーを貫通して形成された複数の孔であって前記幅方向に互に離れて形成されており、腕及び／又は足を伸ばしたときに、手及び／又は足の指の位置に合わせて形成されていることを特徴とする請求項１又は２に記載する医療用パジャマ。
【請求項５】
前記カバーは、腕を体に固定するためのベルトを係止するベルト係止部を備えることを特徴とする請求項１から４のいずれかに記載する医療用パジャマ。
【請求項６】
前記カバーは、患者情報を表示する表示部を備えたことを特徴とする請求項５に記載する医療用パジャマ。
【考案の詳細な説明】
【技術分野】
【０００１】
本発明は、人工透析などの治療を受けるときに患者が着用するパジャマに関する。
【背景技術】
【０００２】
人工透析などの治療では、腕や足の血管に針を刺して血液を採取し、透析装置で不純物を取り除いたあと、再び血液を体に戻す処置が行われる。針と透析装置は、チューブでつながっている。人工透析は、２、３日に１回程度の頻度で行われ、毎回４時間から５時間程度の長時間を要する。この間、患者はベッドに寝た状態でほとんど動くことができない。
また、こうして頻繁に採血する必要があるので、あらかじめ静脈と動脈をつないでシャントを形成し、静脈の血流を増やす処置が行われる。しかしながら、血流が増えることによって、万一針の挿入箇所等から出血した場合に出血量が多くなる。そこで、透析を行っている間は、出血などの異常を早期に発見して迅速に治療を行なえるように、腕を掛け布団の上に出した状態で行われる。
【０００３】
このため、例えば前腕部から採血する場合には、パジャマの袖を捲り上げて長時間にわたって腕を露出することになり、夏場ではクーラーの冷気により、冬場では外気温低下によって腕が冷えるので、患者に負担を強いることとなる。特許文献１では、袖にファスナーを設けて、針を刺すときにはファスナーを開いて腕を露出させ、針を刺した後は再びファスナーを閉じる構成のパジャマが提案されている。
【先行技術文献】
【特許文献】
【０００４】
【特許文献１】実用新案登録第３１２９５１５号公報
【考案の概要】
【考案が解決しようとする課題】
【０００５】
人工透析中に出血した場合には、針を挿入している腕を素早く露出させることが求められる。更に、地震や風水害等が生じて人工透析装置を使用できない状態になった場合には、速やかに針を外して、患者が避難できるようにする必要がある。
しかしながら、特許文献１のパジャマのように、袖をファスナーで開閉する場合には、出血等の異常を発見したときに、ファスナーのフックをつまんで袖口から肩に向かってスライドさせなければならない。このため、ファスナーのフックを探すのに手間取ったり、フックをスライドさせている途中でファスナーがかみ込んだりすると、ファスナーを開放するのに時間を要するという問題がある。
また、ファスナーをスライドさせるときに袖が引っ張られると、患者が強い痛みを感じる場合がある。
【０００６】
上記の事情に鑑み、本考案の医療用パジャマは、人工透析をしている間、露出した腕や足を覆って保温ができるとともに、出血等の異常や地震その他の災害によって透析治療に不都合が生じたときに、腕や足を素早く露出させて適正な処置を施すことができるようにすることを目的として考案されたものである。
【課題を解決するための手段】
【０００７】
本考案の一形態は、腕を通す袖部及び／又は足を通す裾部を有するパジャマ本体と、前記パジャマ本体に脱着可能で前記袖部から露出した腕及び／又は前記裾部から露出した足を覆うカバーと、を備える医療用パジャマであって、前記カバーは、腕又は足が延在する方向を縦方向とし、前記縦方向と略直交する方向を幅方向として、前記縦方向の一方の端部が前記袖部及び／又は前記裾部に脱着可能であり、前記縦方向の他方の側に、手及び／又は足の指を係止する係止部が形成されていることを特徴としている。
【考案の効果】
【０００８】
本考案の医療用パジャマは、人工透析等の治療をしている間、露出した腕や足を覆って保温ができるとともに、出血等の異常や地震その他の災害によって透析治療に不都合が生じたときに腕や足を素早く露出させて適正な処置を施すことができる。
【図面の簡単な説明】
【０００９】
【図１】第１実施形態の医療用パジャマの正面図である。
【図２】腕カバーの形態を示す平面図である。
【図３】腕カバーの他の形態を示す平面図である。
【図４】ループを形成した場合の不具合を説明する裏面図である。
【図５】第２実施形態の腕カバーの形態を示す平面図である。
【図６】第２実施形態の腕カバーの使用方法を説明する説明図である。
【考案を実施するための形態】
【００１０】
本考案を図を用いて説明する。図１は、本考案の第１実施形態である医療用パジャマ１０の正面図である。医療用パジャマ１０は、医療機関等において人工透析を受けるときに患者が上半身に着用する用途で使用される。
人工透析は、腕や足の血管に針を刺して血液を採取し、透析装置で不純物を取り除いたあと、再び体に戻す処置が行われる。針と透析装置は、チューブでつながっている。第１実施形態では、前腕部の血管に針を挿入する場合を例にして説明する。
【００１１】
医療用パジャマ１０は、左右両側に腕を通す袖１３、１３（袖部）が設けられたパジャマ本体１１と、左右の袖１３にそれぞれ着脱自在である二つの腕カバー１２、１２とを備えている。図１では、右袖１３ａ（図１の左方の袖である）に腕カバー１２が取り付けられた状態を示しており、左袖１３ｂ（図１の右方の袖である）では、腕カバー１２が取り外された状態を示している。
【００１２】
パジャマ本体１１は、患者の上半身に合わせた大きさで前身頃が左右に分かれており、ボタンやファスナーで互いにつなぎ合わせることによって上半身を覆うようになっている。パジャマ本体１１は、木綿や綿フランネルなどの天然素材の生地や、ポリエステルなどの合成繊維で作られている。
袖１３は、袖丈の短い半袖であって、袖口１４が、肘より肩に近い側に位置するようになっている。なお、袖口１４は、できるだけ肩に近い位置に形成されるのが好ましい。後述するように、針を刺すときに袖１３が邪魔にならず、出血等の異常が生じたときには患部を大きく露出させて処置が容易になるからである。
なお、パジャマの材質は例示であり、上記に限定されるものではない。また、パジャマ本体１１は、半袖のティーシャツのように丸首で前身頃が左右に分かれていないものであってもよい。
【００１３】
図１に示すように、袖１３の外面に、袖口１４に沿って所定の間隔で面ファスナー１５が取り付けられている。面ファスナー１５は、フック状の表面を持つシートとパイル状の表面を持つシートが２枚一組となったファスナーである。以下の説明では、フック状及びパイル状のいずれか一方を面ファスナーの一方といい、フック状及びパイル状のいずれか他方を面ファスナーの他方という場合がある。
第１実施形態では、面ファスナー１５の一方は、袖口１４の外面の全周にわたって取り付けられているが必ずしも全周に取り付ける必要はない。後述するように、患者が横臥した状態で腕に針を挿入した後、腕カバー１２が腕を覆うように取り付けられるので、面ファスナー１５の一方は、少なくとも患者があおむけに寝た状態で上から見える位置に取り付けられていればよい。
【００１４】
腕カバー１２は、一枚の布で、木綿、麻、フランネルなどの天然素材や、ポリエステルなどの合成繊維で作られている。木綿や麻は、主に夏季に使用され、肌触りがよく吸湿性に優れている。フランネルなどの起毛素材は、主に冬季に使用され、肌触りが柔らかで保温性に優れている。左右の腕カバー１２、１２は、互いに対称の形状である。以下の説明では、図１の左袖１３ｂに装着する腕カバー１２を例にして説明する。
腕カバー１２は、平面状に広げた状態では概ね長方形の形状であり、一対の短辺（それぞれ第１短辺２０、第２短辺２１という）と一対の長辺（それぞれ第１長辺２２、第２長辺２３という）を備えている。以下の説明では、一対の短辺２０，２１が向き合う方向を「縦方向」といい、一対の長辺２２，２３が向き合う方向を「幅方向」という場合がある。
腕カバー１２の一方の面（裏面）には、第１短辺２０に沿って所定の間隔で面ファスナー１５の他方が取り付けられている。面ファスナー１５の間隔は、袖口１４に取り付けられた面ファスナー１５の間隔と同等である。これにより、面ファスナー１５の一方と他方とを重ね合わせるときに、袖口１４に対して腕カバー１２を適宜周方向に位置をずらせて重ねることができる。こうして、図１に示すようにパジャマ本体１１と腕カバー１２とをつなぎ合わせることができる。
【００１５】
腕カバー１２の、第２短辺２１の側に、手の指を通すための二つの孔２５ａ，２５ｂが幅方向に互に離れて形成されている。各孔２５ａ，２５ｂは、腕カバー１２を袖口１４につなぎ合わせたときに腕を伸ばした状態で、手の指の位置に合わせて形成されている。
孔２５ａ，２５ｂの直径は概ね２ｃｍから３ｃｍ程度で、二つの孔２５ａ，２５ｂの中心の間隔は概ね１０ｃｍ程度である。このため、軽く手を開いた状態で、拇指と小指を各孔２５ａ，２５ｂに挿入することができる。
【００１６】
図２は、医療用パジャマ１０を着用したときの使用状態を説明する模式図である。採血用の針２６及び返血用の針２８が腕の血管（静脈）に挿入され、採血用の針２６で採集した血液がチューブ２７を通って図示しない透析装置に送られている。その後、透析装置で浄化された血液は、チューブ２９及び返血針２８を通って再び体に戻される。腕カバー１２は、腕を伸ばした状態で、指先まで覆うことができる程度の大きさで作られており、腕に挿入した針２６、２８やチューブ２７、２９を覆うとともに、腕の露出部を覆うことによって腕を保温している。
【００１７】
次に、図２を参照しつつ、人工透析を行う際の第１実施形態の医療用パジャマ１０の使用方法を説明する。
【００１８】
人工透析を行うために針２６，２８を刺すときには、患者は、腕カバー１２を外した状態でパジャマ本体１１を着用する。パジャマ本体１１の袖１３は袖丈が短いので、腕の大部分を露出させることができる。したがって、採血針２６及び返血針２８を刺す時に、袖１３を捲り上げたりする必要がなく、容易に処置をすることができる。
【００１９】
針２６、２８を挿入後、針２６，２８と透析装置とをつなぐチューブ２７、２９が医療用テープなどで腕に固定される。透析をしている間、出血等の異常を監視するために、患者は、腕を布団の外に出した状態で横臥している。透析には４時間から５時間を要するので、患者はこの状態で長い時間にわたって安静にしなければならない。
【００２０】
次に、腕カバー１２を露出した腕の上に載せて、針２６、２８及びチューブ２７、２９とともに腕を腕カバー１２で覆う。このとき、腕カバー１２の第１短辺２０の側の端部とパジャマの袖口１４が面ファスナー１５で固定される。面ファスナー１５の一方が袖口１４の外面に設けられているので、腕カバー１２を上から載せるだけで容易に固定することができる。このため、腕を動かす必要がないので、患者が痛みを感じることがない。
【００２１】
次に、腕カバー１２の第２短辺２１の側の端部に設けた孔２５ａ，２５ｂに手の指を通す。孔２５ａ，２５ｂは、腕を伸ばした状態で指の位置に合わせて形成されているので、孔２５ａ，２５ｂに指を通すことによって、腕カバー１２がほぼ弛みの無い状態で腕全体を覆うことができる。このとき、図２に示すように、孔２５ａに拇指を通し、孔２５ｂに小指を通すのが好ましい。腕カバー１２が腕から位置ずれするのを防止するとともに、手の甲全体を覆うことができるので、長時間にわたって人工透析を受けるときに腕が冷えるのを確実に防止できるからである。
【００２２】
なお、腕カバー１２に形成した孔２５ａ，２５ｂの形態は例示である。例えば、図３に示すように、一方の孔を幅方向に拡がった長穴形状として、人差し指から小指までの４本の指を通す孔２５ｃを形成し、拇指を通す孔２５ａと互に幅方向に離れて形成されてもよい。
【００２３】
こうして、腕カバー１２は、肩に近い側では面ファスナー１５によって袖１３に固定されており、手の先の側では孔２５ａ，２５ｂに指を通すことによって腕と一体になっているので、透析の途中で腕を動かした場合でも、腕カバー１２が位置ずれすることがなく、常に腕全体を覆って保温することができる。これにより、患者は、人工透析を受けている間、腕が冷えることによる痛みを防止して快適に治療を受けることができる。
【００２４】
（異常時の処置）
次に、出血等の異常が生じたときや、地震や風水害が発生したときの緊急処置について説明する。緊急時には、腕カバー１２を取り外して腕を露出させ、出血している場合は止血の手当てをし、地震等が発生して緊急避難をする場合には針２６、２８を取り外して、患者自身が自由に移動できるようにしなければならない。出血した場合には、腕カバー１２に血液が浸み込むので、患者自身や巡回中の看護師等が容易に判別できる。
【００２５】
第１実施形態の腕カバー１２は、指先が孔２５ａ，２５ｂに挿入されているだけであり、緊急時には、孔２５ａ，２５ｂから指を抜くだけで腕カバー１２を腕から容易に離すことができる。特に、第１実施形態では、腕カバー１２本体に直接孔２５ａ，２５ｂを形成しているので、指から離す作業を迅速に行うことができる。
【００２６】
仮に、一方の面に図４に示すようなループ３１を複数設置したと仮定した腕カバー１２ａを使用した場合（以下「仮形態」という）と対比して、第１実施形態の腕カバー１２の効果を説明する。図４の腕カバー１２ａには腕と接する側の面（裏面）に指を通す複数のループ３１が形成されている。図４は、腕カバー１２ａの裏側（腕の側である）から見たときに、手の指をループ３１に挿入した状態を示している。
【００２７】
この仮形態の腕カバー１２ａでは、ループ３１が腕カバー１２ａの裏側にあるため、指を挿入するときに、ループ３１の位置と指の位置を合わせるのが困難である。
また、腕カバー１２ａを取り外すときには、ループ３１がひも状の素材で形成されているため、指に絡まって速やかに取り外すことができなくなる恐れがある。更に、腕カバー１２ａの表の側からは、ループ３１に挿入している指の係合状態を見ることができないので、指がループ３１に絡まったままで腕カバー１２ａを引っ張ると、腕が引っ張られて患者が強い痛みを感じる虞がある。
このように、図４に示す仮形態の腕カバー１２ａは、緊急時に速やかに取り外すことが困難である。
【００２８】
これに対して、第１実施形態の腕カバー１２では、孔２５ａ，２５ｂが腕カバー１２に直接形成されているので、腕カバー１２を指先から離すときに指に絡みにくい。また、指先が腕カバー１２の表側に露出しており、孔２５ａ，２５ｂと指との係合状態を容易に確認できるので、腕を無理に動かすことなく、腕カバー１２を指から外すことができる。
こうして、第１実施形態の医療用パジャマ１０は、緊急時に、腕カバー１２を瞬時に取り外して腕を露出させ、止血の手当てをしたり、針２６、２８を取り外して患者自身が自由に避難することが可能になる。
【００２９】
なお、緊急時に腕を露出させるときには、腕カバー１２の上端が袖口１４とつながったままであってもよい。しかしながら、異常の程度によって腕カバー１２を完全に取り外したい場合には、腕カバー１２を腕から離れる向きに引っ張ればよい。腕カバー１２は袖口１４の外面に固定されているので、腕カバー１２を腕から離す向きに引っ張るだけで容易に取り外すことができる。
仮に、面ファスナー１５が袖口１４の内側に取り付けられていると仮定すると、腕カバー１２を引っ張るときに、袖口１４の裏面が表向きにめくれるように引っ張られるので腕カバー１２が取り外しにくく、腕に力がかかって患者が強い痛みを感じる虞がある。
これに対し、第１実施形態では、腕カバー１２を引き上げるときに、腕を動かすことがないので、患者が痛みを感じることがない。
【００３０】
また、第１実施形態では、腕カバー１２は一枚の平たい布（平布状）であり、横臥した状態で腕を上から覆っているに過ぎない。腕の下側では腕カバー１２の一対の長辺２２，２３が互いにつながっていない（すなわち、腕カバー１２が筒状になっていない）ので、緊急時には、腕カバー１２を上に引き上げるだけで容易に取り外すことができて、患者が痛みを感じることがない。
仮に、腕カバー１２の一対の長辺２２，２３が腕の下側で互いにつながっていると仮定した場合には、腕カバー１２を取り外すときに、腕を持ち上げて長辺２２と長辺２３とがつながっている箇所を分離しなければならず、緊急時に速やかに腕カバー１２を取り外すことができない。
【００３１】
以上説明したように、第１実施形態の医療用パジャマ１０を使用すると、透析をしている間、腕を覆って保温ができる。一方、出血等の異常が生じたときには、腕カバー１２を指先から抜いて上方に持ち上げるだけで、針２６、２８を刺している部分及びチューブ２７、２９等を瞬時に露出させて、適切な手当てをすることができる。このとき、針２６、２８を刺している部分にほとんど力が加わらないので、患者が痛みを感じるのを防ぐことができる。
【００３２】
更に、腕カバー１２が出血等で汚れた場合であっても、パジャマ本体１１から簡単に取り外して洗濯することができるので、常に清潔なパジャマを着用できる。
【００３３】
第２実施形態の医療用パジャマ１０ａについて説明する。医療用パジャマ１０ａは、第１実施形態の医療用パジャマ１０と比較して、腕カバーが更にベルト係止部を備えている点が異なっている。図５は、第２実施形態の腕カバー１２ｂを平面状に広げた形態を示している。
【００３４】
図５に示すように、腕カバー１２ｂは、外周の少なくとも二カ所に、ベルト係止部としての金属製で環状のリング３２を備えている。好ましくは、環状のリング３２は、縦方向の両端部、すなわち第１長辺２２及び／又は第２長辺２３の端部に設置される。
【００３５】
第２実施形態の腕カバー１２ｂは、リング３２以外の構成は、第１実施形態の腕カバー１２と同様の形態であり、パジャマ本体１１から速やかに取り外すことができるので、透析治療中に地震や風水害等が生じたときであっても、看護師が速やかに針２６、２８を外すことができ、患者は自ら透析装置から離れて緊急非難をすることができる。
避難時には、図６に示すように、腕カバー１２ｂで腕を覆うとともにリング３２にベルト３３を係止し、当該ベルト３３を首や肩にかけることによって、腕を体に固定しつつ避難することができる。腕を腕カバー１２ｂで覆うことによって、転倒や接触等による不測の怪我を予防することができる。また、患部を覆っているため、塵埃や水等の異物が付着するのを防止して、感染症等を予防することができる。なお、ベルト３３は、腕カバー１２ａにポケット（図示を省略）を設ける等によって常備することができる。
【００３６】
更に、第２実施形態の腕カバー１２ｂには、患者を識別するための患者情報を表示する識別表示部３４が形成されている。識別表示部３４は、縦１０ｃｍ、横１５ｃｍ程度の大きさのポケットであって、表面は透明なビニール等で形成され、内側に挿入した識別票を外部から見ることができるようになっている。患者情報とは、例えば、患者の識別番号、患者氏名、生年月日等をいう。また、表面がビニール等で形成されているため、水等がかかった場合でも、識別票が汚損されるのを防ぐことができる。これにより、複数の患者が、緊急避難等によって透析装置から離れた場所に避難した場合であっても、各患者を識別して各々の症状に対応した適切な処置を行うことができる。
【００３７】
上記の説明では、腕から血液を採取する場合を例に説明した。しかしながら、人工透析治療では、足の血管から採血する場合がある。この場合に使用される医療用パジャマ１０ｂは、下半身に着用される。図示を省略するが、医療用パジャマ１０ｂは、パジャマ本体としての半ズボンと、半ズボンの裾（裾部）に脱着自在の足カバーとで構成される。足カバーは、第１実施形態の腕カバー１２と同様の形態で、左右の裾の外面に面ファスナー１５で脱着自在に取り付けられるとともに、足先の側に、足の指を通す複数の孔が設けられている。医療用パジャマ１０ｂの作用効果は、第１実施形態の医療用パジャマ１０と同様であるので説明を省略する。なお、医療用パジャマは、上半身及び下半身の双方に同時に着用するものであってもよい。
【００３８】
なお、上述した実施の形態は本考案を実施するための例示に過ぎない。本考案は上述した実施の形態に限定されることなく、その趣旨を逸脱しない範囲内で上述した実施の形態を適宜変更して実施することができる。
【符号の説明】
【００３９】
１０：医療用パジャマ、１１：パジャマ本体、１２：腕カバー、１３：袖、１４：袖口、１５：面ファスナー、２０：第１短辺、２１：第２短辺、２２：第１長辺、２３：第２長辺、２５ａ：孔、２５ｂ：孔、２６：針（採血用）、２７：チューブ（採血用）、２８：針（返血用）、２９：チューブ（返血用）、３１：ループ
【図１】
0003224210.tif 000003
【図２】
0003224210.tif 000004
【図３】
0003224210.tif 000005
【図４】
0003224210.tif 000006
【図５】
0003224210.tif 000007
【図６】
0003224210.tif 000008